(57)【要約】【課題】システム構成の小型化を図るとともに、放送素材データの人為的チェックミスをなくし、ユーザの作業負担を大幅に軽減できる放送素材監視システムを提供する。【解決手段】素材監視装置１３において、ビデオサーバ１１に記録される放送素材データと、ビデオサーバ１２から再生出力される放送素材データとを取り込み、これら放送素材データに基づいて、ＦＩＬＥ系、ビデオサーバ１１，１２の少なくとも１つの障害発生を監視するようにしている。【選択図】図１
2007074686.tif 000002
【特許請求の範囲】
【請求項１】
信号系統により送られてくる放送素材データを第１の記録媒体に記録し、当該第１の記録媒体から放送素材データを再生する第１のビデオサーバと、
この第１のビデオサーバに接続され、前記第１のビデオサーバの第１の記録媒体から再生された放送素材データを第２の記録媒体に記録し、当該第２の記録媒体から放送素材データを再生する第２のビデオサーバと、
前記第１のビデオサーバへの入力放送素材データと、前記第２のビデオサーバから再生出力される放送素材データとに基づいて、前記信号系統、前記第１及び第２のビデオサーバの少なくとも１つの障害を監視する監視手段とを具備したことを特徴とする放送素材監視システム。
【請求項２】
前記監視手段は、前記第１のビデオサーバへの入力放送素材データと、前記第２のビデオサーバから再生出力される放送素材データとを比較し、この比較結果に基づいて前記入力放送素材データの正当性を判定することを特徴とする請求項１記載の放送素材監視システム。
【請求項３】
前記監視手段は、前記第１のビデオサーバへの入力放送素材データを前記第１及び第２のビデオサーバの信号処理に要する時間だけ遅延して前記第２のビデオサーバから再生出力される放送素材データと比較し、この比較結果に基づいて前記第１及び第２のビデオサーバのうち少なくとも１つに発生する障害を監視することを特徴とする請求項１記載の放送素材監視システム。
【請求項４】
前記監視手段は、前記信号系統、前記第１及び第２のビデオサーバのうち少なくとも１つに発生する障害を検出した場合に、障害の旨をユーザに提示することを特徴とする請求項１記載の放送素材監視システム。
【発明の詳細な説明】
【技術分野】
【０００１】
この発明は、例えば二重化設備の送出中の系統に設けられるビデオサーバで記録する放送素材データを待機中の系統に設けられるビデオサーバにコピーするシステムにおいて、送出系統及び各系統のビデオサーバの障害を監視する放送素材監視システムに関する。
【背景技術】
【０００２】
周知のように、放送局内にあっては、例えばテレビジョン放送やラジオ放送の番組、ＣＭ（コマーシャル）、文字やデータによる番組等の放送素材データを記憶し、任意のタイミングで放送素材データを再生するビデオサーバが使用されている。
【０００３】
ところで、上記放送局内では、ビデオサーバから再生される放送素材データの品質を確認する必要がある。この品質確認のために、ビデオサーバに収録される放送素材データの先頭映像を静止画像データとして取り込んで保持しておき、再生時つまり送出スタンバイ時に送出スタンバイ映像を取り込んで画面に表示する監視装置が提案されている（例えば、特許文献１）。
【０００４】
また、上記放送局では、機器の故障対策及び保守のために、送出・待機の二重化構成とすることが一般的となっており、このため送出系及び待機系それぞれにビデオサーバが用いられることになる。この場合、送出系において、放送素材データをビデオサーバに記録しておき、しかる後に、待機系のビデオサーバに送出系の放送素材データを転送してコピーするマイグレーション収録方式が一例として考えられる。
【特許文献１】特開２００４−２７４５６８号公報。
【発明の開示】
【発明が解決しようとする課題】
【０００５】
ところで、上記マイグレーション収録方式にあっても、各系統のビデオサーバから再生される放送素材データの品質を確認する必要が生じる。このような場合、例えばユーザがビデオサーバの入力側と出力側に設けられるモニタを用いて、各ビデオサーバに収録・再生される放送素材データを目視により監視するようにしている。このため、チェックミスやユーザの熟練や専門知識による判断の揺らぎが発生していた。
【０００６】
なお、上記監視装置を用いる手法では、監視装置を二重化する必要があるため、システムの構成が大掛かりなものになる。また、上記監視装置では、ビデオサーバの送出スタンバイ時に放送素材データの品質確認を行なうものであり、放送素材データの収録時には放送素材データの品質確認を行なうことができない。
【０００７】
そこで、この発明の目的は、システム構成の小型化を図るとともに、放送素材データの人為的チェックミスをなくし、ユーザの作業負担を大幅に軽減できる放送素材監視システムを提供することにある。
【課題を解決するための手段】
【０００８】
この発明は、上記目的を達成するために、以下のように構成される。  
信号系統により送られてくる放送素材データを第１の記録媒体に記録し、当該第１の記録媒体から放送素材データを再生する第１のビデオサーバと、この第１のビデオサーバに接続され、第１のビデオサーバの第１の記録媒体から再生された放送素材データを第２の記録媒体に記録し、当該第２の記録媒体から放送素材データを再生する第２のビデオサーバと、第１のビデオサーバへの入力放送素材データと、第２のビデオサーバから再生出力される放送素材データとに基づいて、信号系統、第１及び第２のビデオサーバの少なくとも１つの障害を監視する監視手段とを備えるようにしたものである。
【０００９】
この構成によれば、第１のビデオサーバに記録される放送素材データと、第２のビデオサーバから再生出力される放送素材データとが監視手段において取り込まれて、これら放送素材データに基づいて、信号系統、第１及び第２のビデオサーバの少なくとも１つの障害が監視される。すなわち、第１及び第２のビデオサーバにそれぞれ記録される放送素材データの品質確認が、人手を要することなく１台の監視装置により自動的に行なわれることになる。
【００１０】
従って、１台の監視装置により信号系統、第１及び第２のビデオサーバの少なくとも１つの障害を監視できるので、システム構成の大型化を防止することができ、一方ユーザにとっては各ビデオサーバに記録される放送素材データの品質確認に必要な労力を大幅に低減でき、さらにチェックミスの発生が防止されて正確で信頼性の高い放送素材データの品質確認を行うことができる。
【００１１】
監視手段は、第１のビデオサーバへの入力放送素材データと、第２のビデオサーバから再生出力される放送素材データとを比較し、この比較結果に基づいて入力放送素材データの正当性を判定することを特徴とする。
【００１２】
この構成によれば、第１のビデオサーバへの入力放送素材データと、第２のビデオサーバから再生出力される放送素材データとを比較することで入力放送素材データの正当性が判定される。これにより第１のビデオサーバへの入力放送素材データの正当性を事前に確実に判断できる。
【００１３】
監視手段は、第１のビデオサーバへの入力放送素材データを第１及び第２のビデオサーバの信号処理に要する時間だけ遅延して第２のビデオサーバから再生出力される放送素材データと比較し、この比較結果に基づいて第１及び第２のビデオサーバのうち少なくとも１つに発生する障害を監視することを特徴とする。
【００１４】
この構成によれば、第１のビデオサーバへの入力放送素材データを第１及び第２のビデオサーバの信号処理に要する時間だけ遅延して第２のビデオサーバから再生出力される放送素材データと比較することで第１及び第２のビデオサーバのうち少なくとも１つに発生する障害が監視される。これにより第１及び第２のビデオサーバに発生する障害を確実に検出できる。
【００１５】
監視手段は、信号系統、第１及び第２のビデオサーバのうち少なくとも１つに発生される障害を検出した場合に、障害の旨をユーザに提示することを特徴とする。  
この構成によれば、信号系統、第１及び第２のビデオサーバで障害が発生した場合に、この障害の旨の情報が表示器へ表示されたり、また音声メッセージによりユーザに報知される。このようにすることで、ユーザは信号系統、第１及び第２のビデオサーバに障害が発生したことを即時知ることができる。
【発明の効果】
【００１６】
以上詳述したようにこの発明によれば、システム構成の小型化を図るとともに、放送素材データの人為的チェックミスをなくし、ユーザの作業負担を大幅に軽減できる放送素材監視システムを提供することができる。
【発明を実施するための最良の形態】
【００１７】
以下、この発明の実施形態について図面を参照して詳細に説明する。  
図１は、この発明の一実施形態に係わる放送素材監視システムの概略構成を示すブロック図である。図１において、符号１１は送出系（ＦＩＬＥ系）のビデオサーバ、１２は待機系（ＰＶ系）のビデオサーバである。これらビデオサーバ１１，１２はそれぞれメモリ１１１，１２１を備えている。なお、ここでは、ＦＩＬＥ系において、少なくとも映像信号を含む放送素材データをビデオサーバ１１のメモリ１１１に記録しておき、しかる後に、メモリ１１１に記録された放送素材データをＰＶ系のビデオサーバ１２に転送してコピーするマイグレーション収録方式を用いるものとする。
【００１８】
ＦＩＬＥ系の放送素材データは２系統に分配され、一方はビデオサーバ１１に供給され、他方は素材監視装置１３に供給される。また、素材監視装置１３には、ビデオサーバ１２のメモリ１２１から再生された放送素材データが供給される。そして、素材監視装置１３は、ＦＩＬＥ系の放送素材データとＰＶ系の放送素材データとの比較を行い、この比較結果に基づいてＦＩＬＥ系、ＰＶ系、ビデオサーバ１１，１２の障害を監視する。
【００１９】
次に、上記構成における処理動作について説明する。  
図２は、上記素材監視装置１３の制御処理手順を示すフローチャートである。  
ユーザの指定操作で、ファイリングが開始されると、素材監視装置１３はビデオサーバ１１への入力直前の放送素材データと、ビデオサーバ１２から再生出力される放送素材データとを取り込み、これら放送素材データを比較することで、ＦＩＬＥ系の放送素材データ（入力映像）の正当性の判定、つまり一重刺激によるＦＩＬＥ系の障害発生の監視を行なう（ステップＳＴ２ａ）。
【００２０】
ここで、障害が発生せずにビデオサーバ１２による再生が開始されると、素材監視装置１３はステップＳＴ２ｂからステップＳＴ２ｃに移行して、ここでＰＶ系の一重刺激と、ＦＩＬＥ系とＰＶ系とによる二重刺激の障害発生の監視を行なう。なお、二重刺激の障害発生の監視を行なう場合に、素材監視装置１３はビデオサーバ１１，１２の処理に要する時間だけビデオサーバ１１への入力直前の放送素材データを遅延することで、ビデオサーバ１２から再生出力される放送素材データとの比較タイミングを調整する。
【００２１】
そして、ステップＳＴ２ｄにおいて障害が発生しなければ（Ｎｏ）、処理を終了するが、障害が発生した場合には（Ｙｅｓ）、素材監視装置１３は障害の旨のメッセージを図示しないモニタに供給してＯＳＤ(On Screen Display)表示させる（ステップＳＴ２ｅ）。従って、この表示によりユーザは障害発生の旨をリアルタイムに知ることができる。また、上記ステップＳＴ２ｂにおいてもステップＳＴ２ｄと同様に、障害が発生した場合には（Ｙｅｓ）、素材監視装置１３は障害の旨のメッセージをモニタに供給してＯＳＤ表示させる。
【００２２】
なお、障害の旨のメッセージは視覚表示するもの以外に音声合成手段を利用することで障害の旨を音声メッセージにより知らせるものでもよい。
【００２３】
また、ビデオサーバ１１への収録が終了した場合に、素材監視装置１３はＦＩＬＥ系の一重刺激による障害監視を停止する。さらに、ビデオサーバ１２の再生が終了した場合に、ＰＶ系の一重刺激と、ＦＩＬＥ系とＰＶ系とによる二重刺激の障害発生の監視を停止する。
【００２４】
以上のように上記実施形態では、素材監視装置１３において、ビデオサーバ１１に記録される放送素材データと、ビデオサーバ１２から再生出力される放送素材データとを取り込み、これら放送素材データに基づいて、ＦＩＬＥ系、ビデオサーバ１１，１２の少なくとも１つの障害発生を監視するようにしている。
【００２５】
従って、ビデオサーバ１１，１２にそれぞれ記録される放送素材データの品質確認が、人手を要することなく１台の素材監視装置１３により自動的に行なわれることになるので、システム構成の大型化を防止することができ、一方ユーザにとっては各ビデオサーバ１１，１２に記録される放送素材データの品質確認に必要な労力を大幅に低減でき、さらにチェックミスの発生が防止されて正確で信頼性の高い放送素材データの品質確認を行うことができる。
【００２６】
また、上記実施形態では、素材監視装置１３において、ビデオサーバ１１への放送素材データの入力からビデオサーバ１２による放送素材データの再生まで時間で、入力放送素材データの正当性の判定が行なわれることになる。このため、ビデオサーバ１１への入力放送素材データの正当性を事前に確実に判断できる。
【００２７】
さらに、上記実施形態では、素材監視装置１３において、ビデオサーバ１１への入力放送素材データをビデオサーバ１１，１２の信号処理に要する時間だけ遅延してビデオサーバ１２から再生出力される放送素材データと比較することで、ビデオサーバ１１，１２のうち少なくとも１つに発生する障害が監視される。このため、ビデオサーバ１１，１２に発生する障害を確実に検出できる。
【００２８】
なお、この発明は上記実施形態に限定されるものではない。例えば音声信号のみを含む放送素材データに対しても適用可能である。
【００２９】
その他、システム構成、障害監視の制御手順及びその内容、障害検出方法等についても、この発明の要旨を逸脱しない範囲で種々変形して実施できる。
【図面の簡単な説明】
【００３０】
【図１】この発明の一実施形態に係わる放送素材監視システムの概略構成を示すブロック図。
【図２】図１に示した素材監視装置の制御手順を示すフローチャート。
【符号の説明】
【００３１】
１１，１２…ビデオサーバ、１３…素材監視装置、１１１，１２１…メモリ。
【図１】
2007074686.tif 000003
【図２】
2007074686.tif 000004